(57)【特許請求の範囲】
【請求項１】
内部表面上に複数の第１のクリップおよび／または複数の第２のクリップを有する第１の壁と、
内側表面上に保持器を有する第２の壁であって、前記第２の壁の前記内側表面が前記第１の壁の前記内部表面に向かい合い、前記内部表面及び前記内側表面が内部空間を構成する第２の壁と、
を備え、
前記第１のクリップの各々は、前記内部表面から延びる２つの突起で構成され、前記２つの突起には相反する方向へ延びる把持部が設けられ、前記第２のクリップの各々は前記内部表面から延びる１つの突起で構成され、前記１つの突起は把持部が設けられ、
複数の上向き分離用部材によって、前記各々のクリップ及び保持器のすべてを同時に外すように、前記各々のクリップ及び保持器は互いに対して係合、整列及び方向付けされ、前記複数の上向き分離用部材は、前記各々のクリップ及び保持器に対応する並び及び向きを有し、かつ一体で移動して前記第１の壁を持ち上げることができるように適合され、
前記複数のクリップ及び保持器は、前記第１の壁と前記第２の壁との間の一連のロック状態を構成し、
前記分離用部材は、前記第１の壁に対して垂直力を加えることによる前記第１の壁を持ち上げる方向の動作のみにより、前記第１のクリップおよび／または前記第２のクリップと前記保持器との前記ロック状態を解除することができ、
前記第１のクリップの前記把持部および／または前記第２のクリップの前記把持部は、前記第１の壁の前記内部表面から少なくとも２つの異なる長さに延びている、
セットトップボックス。
【請求項２】
前記第２の壁は、該壁に分散した開口部を有し、該開口部を通して前記分離用部材が入り込み、前記第１の壁及び前記第２の壁を互いに係止する前記第１および／または第２のクリップ及び保持器を解放することを可能にする、請求項１に記載のセットトップボックス。
【請求項３】
前記第２の壁は、該壁に分散した開口部を有し、該開口部を通して前記分離用部材が入り込み、前記第１の壁及び前記第２の壁を互いに係止する前記第１および／または第２のクリップ及び保持器を解放することを可能にし、前記開口部は、プレートから延びる前記複数の分離用部材を有する解放治具が、前記第１および／または第２のクリップ及び前記保持器を実質的に同時に解放することを可能にするように適合されている、請求項１に記載のセットトップボックス。
【請求項４】
内部空間を構成する外壁を有する囲いと、
内部表面及び前記内部表面から延びる複数の第１の結合用クリップと複数の第２の結合用クリップとを有する頂部と、
内側表面及び前記内側表面から延びる複数のクリップ受け入れ部材を有する基部であって、前記クリップ受け入れ部材は、前記第１および第２の結合用クリップと可逆的に係合して前記頂部を前記基部に固定し、前記基部は、プレートから延びる複数の分離用部材を有する解放治具が、前記クリップ受け入れ部材を同時に外すことを可能にするように適合された少なくとも１つの開口部をさらに含む基部と、
を備え、
前記第１の結合用クリップの各々は、２つの突起で構成され、前記２つの突起の各々には相反する方向へ延びる、クリップ受け入れ部材と係合する把持部が設けられ、前記第２の結合用クリップの各々は把持部が設けられた１つの突起から構成され、
前記解放治具は、前記頂部の内部表面に対して垂直力を加えることによる前記頂部を持ち上げる方向の動作のみにより、前記第１の結合用クリップおよび前記第２の結合用クリップと、保持器とのロック状態を解除するように適合される、
装置。
【請求項５】
前記把持部は、前記頂部から延びる内向きの延伸部の遠位端にある、請求項４に記載の装置。
【請求項６】
前記装置は、
前記内側表面から延びる内向きの延伸部及び前記内向きの延伸部の遠位端にある肩部を含むクリップ受け入れ部材と、
前記肩部と横方向及び垂直方向に重なり合う前記第１および第２の結合用クリップの各部分と、
をさらに備えている、請求項４に記載の装置。
【請求項７】
前記クリップ受け入れ部材は、前記基部から延び、内向きの延伸部の遠位端にある肩部を有し、
前記把持部は、前記把持部の各々の肩部が前記クリップ受け入れ部材の肩部を越えて延び、前記把持部の肩部と前記クリップ受け入れ部材の肩部とが重なり合って互いに接触する又は互いに近位にあることにより、前記クリップ受け入れ部材の中にスナップされ、前記頂部を前記基部に固定する、請求項４に記載の装置。
【請求項８】
少なくとも１つの把持部は、前記把持部の肩部の端部から延びる傾斜した面を有し、前記傾斜した面の少なくとも一部は、前記把持部の肩部と鋭角を形成する、請求項７に記載の装置。
【請求項９】
前記装置は、電子装置であり、該電子装置の内部に少なくとも１つの電子構成要素が含まれている、請求項７に記載の装置。
【請求項１０】
前記電子装置は、セットトップボックスである、請求項９に記載の装置。
【請求項１１】
前記第１の結合用クリップの前記把持部および前記第２の結合用クリップの前記把持部は、前記頂部から少なくとも２つの異なる距離にある、請求項５に記載の装置。
【請求項１２】
前記第１の結合用クリップの前記遠位端および前記第２の結合用クリップの前記遠位端は、前記頂部から少なくとも２つの異なる長さに延びている、請求項５に記載の装置。
【請求項１３】
頂部と基部とを備える電子装置において、前記頂部と前記基部とのロック状態とし、及びロック状態を解除する方法であって、
垂直力を加えることによって前記基部及び前記頂部を一緒に押すステップと、
前記頂部の複数の第１の結合用クリップおよび／または複数の第２の結合用クリップを前記基部のクリップ受け入れ部材に同時に接触させるステップであって、前記第１の結合用クリップの各々は、前記頂部の内部表面から延びる２つの突起で構成され、前記２つの突起には相反する方向へ延びる把持部が設けられ、前記第２の結合用クリップの各々は前記内部表面から延びる１つの突起で構成され、前記１つの突起には把持部が設けられる、ステップと、
前記第１および／または第２の結合用クリップの把持部を横方向に再位置決めするステップと、
前記把持部を該把持部の横方向の初期位置又はいくつかの中間位置にスナップして、前記第１および／または第２の結合用クリップの各部分と前記クリップ受け入れ部材の一部が横方向及び垂直方向に重なり合い、それによって前記頂部と前記基部が可逆的に組み立てられ、前記第１の結合用クリップの前記把持部および／または前記第２の結合用クリップの前記把持部は、前記頂部から少なくとも２つの異なる距離にある、ステップと、
解放治具を前記基部に対して整列させるステップと、
前記解放治具に直線力を加えて、前記解放治具のプレートから延びる複数の分離用部材を前記基部の開口部に入れるステップと、
前記分離用部材を前記把持部に同時に接触させるステップと、
前記結合用クリップの前記把持部を横方向に再位置決めして、前記把持部を外すステップと、
前記頂部を持ち上げるステップと、
を含む、方法。
【発明の詳細な説明】
【技術分野】
【０００１】
本発明は、電子装置及びその分解解放ツールに関し、より詳細には、電子装置及びその電子装置を迅速かつ安全に分解するように設計された分解解放ツール（ｔｏｏｌ）に関する。
【背景技術】
【０００２】
セットトップボックス（ｓｅｔ−ｔｏｐ  ｂｏｘ）などの電子装置又は電子デバイスは、通常は、複数の壁（ｗａｌｌ）を有し、その壁の少なくとも１つが複数のねじで固定される組み立て式の装置である。残念なことに、こうした電子デバイスの内部の構成要素に接触するには複数のねじを取り外す必要があり、そのために、電子デバイスの過剰な処理が必要になることがしばしばである。過剰な処理は、しばしば、それぞれのねじを見つけるために、電子デバイスを逆さに回転させる又は横向きに置くことなどによって、電子デバイスの向きを変えることを必要とする。これに続き、電子デバイスを逆さ又は横向きにした状態でねじを１つずつ取り外すことによって、電子デバイスを分解する。電子デバイスが動くたびに構成要素が震動するため、この電子デバイスの過剰な処理によって内部の構成要素を損傷する可能性が高まる。さらに、ねじの取り外し及び再係合は、電子デバイスに傷を付ける、又はねじのねじ山をすり減らす機会を与える。
【０００３】
電子デバイスの内部の構成要素に接触することが頻繁に必要になること、及び内部の構成要素に接触すると、内部の構成要素が損傷する危険に曝される、又は電子デバイスが傷つく危険に曝される恐れがあることに鑑み、改善された電子デバイスの構造、及び迅速、簡単かつ安全な電子デバイスを開放（ｏｐｅｎｉｎｇ）するための方法が求められている。
【０００４】
本発明は、電子デバイスの構成要素を損傷する危険性を伴わずに、電子デバイスの内部の構成要素に安全かつ簡単に接触する手段を提供する。と同時に、本発明は、子供に対してなど認められない接触を実質的に阻止することを保証する。
【発明の概要】
【発明が解決しようとする課題】
【０００５】
本発明は、このような状況に鑑みてなされたもので、その目的とするところは、電子装置及びその電子装置を迅速かつ安全に分解するように設計された分解解放ツールを提供することにある。
【課題を解決するための手段】
【０００６】
装置１は、内部空間を構成する外壁を有する囲い（ｅｎｃｌｏｓｕｒｅ）と、内部表面（ｉｎｔｅｒｉｏｒ  ｓｕｒｆａｃｅ）１２及びその内部表面から延びる複数の結合用クリップ（ｃｏｕｐｌｉｎｇ  ｃｌｉｐ）３０を有する頂部１０と、基部５とを備えている。基部は内側表面（ｉｎｎｅｒ  ｓｕｒｆａｃｅ）を有し、その内側表面から、結合用クリップと係合して頂部を基部に固定する複数のクリップを受け入れる部材（ｃｌｉｐ  ｒｅｃｅｉｖｉｎｇ  ｍｅｍｂｅｒ、以下、クリップ受け入れ部材）が延びている。基部は、プレート５１から延びる複数の分離用部材（ｄｅｃｏｕｐｌｉｎｇ  ｍｅｍｂｅｒ）４０を有する解放治具（ｒｅｌｅａｓｅ  ｆｉｘｔｕｒｅ）５０が、クリップ受け入れ部材を同時に外すことを可能にするように適合された、少なくとも１つの開口部７をさらに含んでいる。
【０００７】
装置１を組み立てる方法は、垂直力を加えることによって基部及び頂部を一緒に押すステップと、頂部１０の結合用クリップ３０を基部５のクリップ受け入れ部材２０に同時に接触させるステップと、結合用クリップの把持部を横方向に再位置決めするステップと、把持部をそれらの横方向の初期位置又はいくつかの中間位置にスナップし、その結果、結合用クリップの各部分とクリップ受け入れ部材の一部が横方向及び垂直方向に重複し、それによって頂部と基部が可逆的に組み立てられるステップとを含む。方法は、解放治具（ｒｅｌｅａｓｅ  ｆｉｘｔｕｒｅ）を基部に対して整列させるステップと、解放治具に直線力を加えて、解放治具５０のプレート５１から延びる複数の分離用部材を基部の開口部に入れるステップと、分離用部材を把持部に実質的に同時に接触させるステップと、結合用クリップの把持部を横方向に再位置決めして把持部を外すステップと、頂部を持ち上げるステップとを含む、電子装置を分解するための各ステップをさらに含んでいる。
【発明の効果】
【０００８】
本発明は、電子デバイスの構成要素を損傷する危険性を伴わずに、電子デバイスの内部の構成要素に安全かつ簡単に接触する手段を提供する。と同時に、本発明は、子供に対してなど認められない接触を実質的に阻止することを保証する。
【図面の簡単な説明】
【０００９】
【図１】本発明に係る装置の分解された状態の斜視図である。
【図２Ａ】図１の装置の結合用クリップの分解図で、頂部の内側表面から延びる２つ突起の結合用クリップを示す分解図である。
【図２Ｂ】図１の装置の結合用クリップの分解図で、１つの突起の結合用クリップを示す分解図である。
【図３】組み立てられた本発明による装置のクリップ受け入れ部材に係合された結合用クリップの斜視図である。
【図４】組み立てられた本発明による装置のクリップ受け入れ部材に係合された他の結合用クリップの斜視図である。
【図５】組み立てられた本発明による装置及び解放治具の斜視図である。
【図６Ａ】装置を分解する様々なステップの間の本発明による装置及び解放治具の断面図で、分離用部材が開口部に入り、上向き又は内向きの力を加えると把持部に接触する、平坦な上側縁部を備えたＵ字形の設計を有する分離用部材を示す断面図である。
【図６Ｂ】装置を分解する様々なステップの間の本発明による装置及び解放治具の断面図で、把持部の肩部がクリップ受け入れ部材の肩部を通り抜け、又は肩部を越えて移動し、分離用部材が完全に挿入されるときの把持部の位置付けを示す断面図である。
【図６Ｃ】装置を分解する様々なステップの間の本発明による装置及び解放治具の断面図で、頂部が持ち上げられ、それによって装置内の各構成要素に接触できるようになったときの結合用クリップの把持部の位置付けを示す断面図である。
【図７Ａ】装置を分解する様々なステップの間の、本発明による装置及び解放治具の他の断面図で、幅を肩部２１と同じ寸法にすることができる狭い縁部を有する分離用部材を示す断面図である。
【図７Ｂ】装置を分解する様々なステップの間の、本発明による装置及び解放治具の他の断面図で、把持部の肩部がクリップ受け入れ部材の肩部を通り抜け、又は肩部を越えて移動し、分離用部材が完全に挿入されるときの、１つの突起の結合用クリップの把持部の位置付けを示す断面図である。
【図７Ｃ】装置を分解する様々なステップの間の、本発明による装置及び解放治具の他の断面図で、頂部が持ち上げられ、それによって装置内の各構成要素に接触できるようになったときの結合用クリップの把持部の位置付けを示す断面図である。
【発明を実施するための形態】
【００１０】
図１は、本発明に係る装置の分解された状態の斜視図である。装置１は、セットトップボックスなどの電子装置とすることができる。装置は、処理装置、スマートカード組立体、チューナ、ファン、記憶デバイスなど様々な電子構成要素を収容する内部空間を構成する、外壁を有する囲い（ｅｎｃｌｏｓｕｒｅ）を含んでいる。これらの構成要素は、内部の支持構造体６０の中で支持することが可能であり、内部の支持構造体６０は、それ自体が側壁及び基部を有することができる。外壁は、前壁８、後壁６、側壁４、頂部１０及び基部５とすることができる。
【００１１】
基部５は、外側表面１３の反対側に、頂部１０と向かい合う内側表面を有する。基部は、基部５を頂部１０に固定するように設計された、内側表面から延びる複数のクリップ受け入れ部材２０をさらに含んでいる。基部５は、クリップ受け入れ部材２０に関連付けられ、クリップ受け入れ部材２０に隣接する、又はその近くに存在する一連の開口部７をさらに含んでいる。一実施形態では、クリップ受け入れ部材それぞれに対して１つの開口部７が存在する。しかしながら、本発明の他の実施形態では、共通の開口部７を複数のクリップ受け入れ部材２０に関連付け、それらに対して使用することができる。
【００１２】
装置１の頂部１０は、外部表面及び内部表面１２を含んでいる。頂部１０は、基部５のクリップ受け入れ部材２０に係合する又はスナップするように設計された複数の結合用クリップ３０をさらに含み、それによって、頂部１０を基部５に効果的に固定する。
【００１３】
「スナップする（ｓｎａｐ）」という表現により、基部５と頂部１０を一緒に押す垂直力を加えて、結合用クリップ及び／又はクリップ受け入れ部材のいくつかの部分を接触させるとき、いずれかの部分をある程度横方向に再位置決めする又は移動することが可能になるように、結合用クリップのいくつかの部分、及び／又はクリップ受け入れ部材のいくつかの部分が可撓性又は弾力性であることを意味することができる。さらに、横方向の再位置決め又は移動は接触後に行われ、結合用クリップ及び／又はクリップ受け入れ部材のいくつかの部分が、力によって反対の垂直方向に移動するにつれて、横方向の再位置決め又は移動が進むようにすることが可能である。力によって、頂部及び基部が最終的に離間寸法の点から所定の組み立てられた状態になると、再位置決め又は移動されていた結合用クリップもしくはクリップ受け入れ部材の一部が、その横方向の初期位置又はいくつかの中間位置に戻り、その結果、結合用クリップの各部分及び／又はクリップ受け入れ部材の一部（例えば、肩部）が横方向及び垂直方向に重複して、頂部及び基部が互いに組み立てられ又は固定され、それにより、頂部及び基部を分離しようとする反対の垂直力では、頂部及び基部を破壊せずに分離することができなくなる。「スナッピング（ｓｎａｐｐｉｎｇ）」とは、初期状態に向かう迅速な又は即時の移動を意味するとみなされることがしばしばであるが、移動はゆっくりでもよい。
【００１４】
内部の支持構造体６０は、やはり開口部７に関連付けられた孔又は溝９を、必要な場合には、クリップ受け入れ部材２０に対するクリアランスを許容するように有することができる。
【００１５】
図２Ａ及び図２Ｂは、図１の装置の結合用クリップの分解図で、図２Ａは、頂部５の内側表面１２から延びる２つ突起（ｐｒｏｎｇ）の結合用クリップ３０を示している。ここでは、それぞれの突起が、下向き又は内向きの延伸部３２の遠位端に把持部３１を有している。把持部は、肩部、及び肩部の端部から下方へもしくは肩部の端部から離れるように延び、肩部と鋭角を形成する傾斜した面を有することができる。傾斜面は、表面の少なくとも一部が肩部と鋭角を形成する状態で湾曲してもよい。図２Ａでは、把持部の肩部は互いから離れるように延びている。図２Ｂは、図１の装置の結合用クリップの分解図で、１つの突起の結合用クリップ３０を示しており、その１つの突起は、下向き又は内向きの延伸部３２の遠位端に把持部３１を有している。この把持部３１も、肩部、及び肩部の端部から下方へもしくは内側表面１２から離れるように延びる傾斜した面を有することができ、その傾斜した面の少なくとも一部は肩部と鋭角を形成する。遠位端は、頂部から少なくとも２つの異なる長さに延びることができる。頂部から少なくとも２つの異なる寸法に延びる把持部を有することによって、認められない装置の分解がより困難になることが指摘されるべきである。
【００１６】
図３は、組み立てられた本発明による装置のクリップ受け入れ部材に係合された結合用クリップの斜視図で、図２Ａの２つの突起の結合用クリップ３０が、どのように基部５のクリップ受け入れ部材２０と係合するかを示している。ここでは、クリップ受け入れ部材２０は基部から延び、上向き又は内向きの延伸部２２の遠位端にある肩部２１を有している。図３は、基部５に形成され、図示した結合用クリップ３０の係合に関連付けられた開口部７の一例を示しており、クリップ受け入れ部材２０は基部５と一体化されている。本発明の目的では、上向き又は内向きの延伸部２２の遠位端とは、クリップ受け入れ部材２０の肩部２１が延びる基部から遠い位置を指すが、クリップ受け入れ部材２０の実際の構造は、追加部分又は肩部を越えて延びる拡張部を有することがあり、それでもやはり遠位端とは、クリップ受け入れ部材２０の肩部２１が延びる基部から遠い位置を指す。図３は、把持部３１のそれぞれの肩部がクリップ受け入れ部材２０の肩部２１を越えて延び、それぞれの肩部が重複して互いに接触する又は互いに近位にあることによって、把持部３１がクリップ受け入れ部材２０の中にスナップされ、それにより頂部１０が基部５に固定されることを示している。
【００１７】
図３は、また、前壁８が、頂部１０及び基部５の溝３の中に位置決めされることによって組み立てられた状態に保持されることを示している。これは、実施形態が、頂部１０及び／又は基部５の溝３によって適所に保持される一部又はすべての壁を含むことができるという、本発明のもう１つの特徴を示している。この特徴は、本発明の一目的である、ねじの使用を減らす又はなくすことを促すため有利である。
【００１８】
図４は、組み立てられた本発明による装置のクリップ受け入れ部材に係合された他の結合用クリップの斜視図で、図２Ｂの１つの突起の結合用クリップ３０が、どのように基部５のクリップ受け入れ部材２０と係合するかを示している。この図４も、基部５に形成された開口部７を示し、またそれが図示した結合用クリップ３０及びクリップ受け入れ部材２０の係合にどのように関連付けられるかを示している。本発明の目的のために、開口部を溝型の切り口とする、又は基部５の中へ形成することも可能であることを指摘することは重要である。クリップ受け入れ部材２０がどのように結合用クリップ３０と係合するかについての説明は、図３のものと同じであるため、ここではそうした係合に関するさらに詳しい説明は省略する。
【００１９】
本発明の重要な特徴は、複数の結合用クリップ３０とクリップ受け入れ部材２０の係合が存在すること、ならびに好ましい実施形態では、組み立てる間、係合を実質的に同時に実施できることであることを指摘するのは重要である。同時にという表現は、本発明では、１つの係合に対する移動の長さが他の係合に関する長さより５％大きくてもよいなど、１つの係合から他の係合まで多少のゆとり（ｓｌａｃｋ；許容範囲）があってもよい状況を含めるように用いられる。係合が同時であるという特徴は、頂部が基部に対してねじれる又は傾くことを防止するため有利である。本発明の他の要素は、装置１における１つの突起だけの結合用クリップ、２つの突起だけの結合用クリップ、又は両方の組み合わせを含むことができる。
【００２０】
図５は、組み立てられた本発明による装置及び解放治具の斜視図で、１回の単純かつ単一の直線移動７０による単一のツールを用いることによって、装置を簡単に分解できるように設計することが可能であると同時に、装置１がその通常動作の向きに維持される、本発明の他の要素を紹介している。ここでは、ツールは、結合用クリップ３０をクリップ受け入れ部材２０から同時に外すようにプレート５１から延びる、複数の分離用部材４０を有する解放治具５０である。解放が同時であるという特徴は、頂部が基部に対してねじれる又は傾くことを防止するため、やはり有利である。分離用部材４０はそれぞれ、開口部７と整列し、結合用クリップ３０に接触するように設計される。装置１を分解するには、解放治具５０を平坦な面の上に置き、装置１を解放治具５０と整列させ、次いで、１回の移動で装置を配置し、解放治具に向かって押す。その移動によって、図６及び図７に示すように、分離用部材が結合用クリップ３０をクリップ受け入れ部材２０から外す。
【００２１】
図６Ａ乃至図６Ｃは、装置を分解する様々なステップの間の、本発明による装置及び解放治具の断面図で、図５における単一の直線移動７０の間に、２つの突起の結合用クリップ３０がどのように外されるかを示している。図６Ａは、分離用部材４０が開口部７に入り、上向き又は内向きの力５３を加えると把持部３１に接触する、平坦な上側縁部を備えたＵ字形の設計を有する分離用部材４０を示している。力５３によって、把持部が方向５４に移動して上向きの延伸部２２から離れ、その結果、下向きの延伸部３２が、把持部３１の肩部がクリップ受け入れ部材２０の肩部２１を通り抜ける又は越えて移動する位置まで撓むかつ／又は曲がるようになる。図６Ｂは、把持部３１の肩部がクリップ受け入れ部材２０の肩部２１を通り抜け、又は肩部２１を越えて移動し、分離用部材４０が完全に挿入されるときの把持部３１の位置付けを示している。この時点では、図６Ｃに示すように、単に持ち上げるだけで頂部１０を取り外すことが可能である。図６Ｃは、頂部が持ち上げられ、それによって装置内の各構成要素に接触できるようになったときの結合用クリップ３０の把持部３１の位置付けを示している。
【００２２】
解放治具５０を取り外した状態で単に頂部１０を基部５の上に配置し、頂部１０を下方へ又は基部に向かって押すことによって、組立体を簡単に再組立てできることも指摘されるべきである。次いで、結合用クリップ３０のそれぞれが、クリップ受け入れ部材２０の中に再係合される。
【００２３】
図７Ａ乃至図７Ｃは、装置を分解する様々なステップの間の、本発明による装置及び解放治具の他の断面図である。図５における単一の直線移動７０の間に、１つの突起の結合用クリップ３０がどのように外されるかを示している。図７Ａは、幅を肩部２１と同じ寸法にすることができる狭い縁部を有する、分離用部材４０を示している。寸法は、分離用部材４０が開口部７に入り、把持部を方向５４に移動させて上向きの延伸部２２から離す上向き又は内向きの力５３を加え、把持部３１の肩部がクリップ受け入れ部材２０の肩部２１を通り抜ける又は肩部２１越えて移動する位置まで、下向きの延伸部３２を撓ませるかつ／又は曲げると、狭い縁部が把持部３１に接触するようにする。図７Ｂは、把持部３１の肩部がクリップ受け入れ部材２０の肩部２１を通り抜け、又は肩部２１を越えて移動し、分離用部材４０が完全に挿入されるときの、１つの突起の結合用クリップ３０の把持部３１の位置付けを示している。この時点では、図７Ｃに示すように、単に持ち上げるだけで頂部１０を取り外すことが可能である。図７Ｃは、頂部が持ち上げられ、それによって装置内の各構成要素に接触できるようになったときの結合用クリップ３０の把持部３１の位置付けを示している。
【００２４】
本発明は、内部表面上にクリップを有する第１の壁と、その内側表面上に保持器（ｒｅｔａｉｎｅｒ）又はクリップ受け入れ部材を有する第２の壁であって、当該第２の壁の内側表面が内部表面に向かい合い、内部空間を構成する、第２の壁とを備える装置としてさらに記述することができる。それぞれのクリップ及び保持器は、それぞれのクリップ及び保持器に対応する並び及び向きを有し、かつ一斉に移動されるように適合された複数の分離用部材によって、それぞれのクリップ及び保持器のすべてを実質的に同時に外すことができるように、互いに対して係合、整列及び方向付けされる。複数のクリップ及び保持器は、第１の壁と第２の壁の間に一連のロックを構成することができる。さらに、第１の壁又は第２の壁は、その内部に分散した開口部を有し、それを通して分離用部材が入り込み、第１の壁及び第２の壁を互いに係止する複数のクリップ及び保持器を解放することを可能にすることができる。ロックは、内側表面から少なくとも２つの異なる長さに延びることができる。
【００２５】
上述したものは、本発明を実施するための可能性のいくつかを示している。本発明の範囲及び趣旨の中で、多くの他の実施形態を実現することができる。例えば、実施形態は、ねじが存在しなくても頂部及び基部を組み立てられた状態にする態様を含んでいる。他の例では、結合用クリップが上方に延び、結合受け入れ部材が下方に延びてもよい。他の例は、頂部１０に存在する解放構造体用の開口部７を含むことができる。さらに本発明の範囲内において、「頂部」及び「基部」という表現は、「頂部」が装置の下側部分、「基部」が上側部分であり、それによって内部の構成要素も反転した形で対応する、本発明による装置を記述することができる。したがって、前述の説明は限定的ではなく例示的なものと考えられ、本発明の範囲は、その同等物の全範囲と共に、添付の特許請求の範囲によって与えられるものである。
以下に、本発明の好ましい態様を示す。
付記１．内部表面上にクリップを有する第１の壁と、
内側表面上に保持器を有する第２の壁であって、前記第２の壁の前記内側表面が前記第１の壁の前記内部表面に向かい合い、前記内部表面及び前記内側表面が内部空間を構成する第２の壁とを備え、
前記各々のクリップ及び保持器は、前記各々のクリップ及び保持器に対応する並び及び向きを有し、かつ、一斉に移動されるように適合された複数の分離用部材によって、前記各々のクリップ及び保持器のすべてを実質的に同時に外すことができるように、互いに対して係合、整列及び方向付けされることを特徴とする装置。
付記２．前記複数のクリップ及び保持器は、前記第１の壁と前記第２の壁の間に一連のロックを構成していることを特徴とする付記１に記載の装置。
付記３．前記第１の壁又は前記第２の壁は、その内部に分散した開口部を有し、該開口部を通して前記分離用部材が入り込み、前記第１の壁及び前記第２の壁を互いに係止する前記複数のクリップ及び保持器を解放することを可能にすることを特徴とする付記１に記載の装置。
付記４．前記装置は、電子装置であり、該電子装置の内部に少なくとも１つの電子構成要素が含まれていることを特徴とする付記１に記載の装置。
付記５．前記電子装置は、セットトップボックスであることを特徴とする付記４に記載の装置。
付記６．前記ロックは、前記内側表面から少なくとも２つの異なる長さに延びていることを特徴とする付記２に記載の装置。
付記７．前記第１の壁又は前記第２の壁は、該壁の内部に分散した開口部を有し、該開口部を通して分離用部材が入り込み、前記第１の壁及び前記第２の壁を互いに係止する前記複数のクリップ及び保持器を解放し、前記開口部は、プレートから延びる前記複数の分離用部材を有する解放治具が、クリップ受け入れ部材を実質的に同時に外すことを可能にするように適合されていることを特徴とする付記１に記載の装置。
付記８．内部空間を構成する外壁を有する囲いと、
内部表面及び前記内部表面から延びる複数の結合用クリップを有する頂部と、
内側表面及び前記内側表面から延びる複数のクリップ受け入れ部材を有する基部であって、前記クリップ受け入れ部材は、前記結合用クリップと可逆的に係合して前記頂部を前記基部に固定し、前記基部は、プレートから延びる複数の分離用部材を有する解放治具が、前記クリップ受け入れ部材を同時に外すことを可能にするように適合された少なくとも１つの開口部をさらに含む基部と
を備えていることを特徴とする装置。
付記９．前記結合用クリップは、クリップ受け入れ部材と係合する把持部を有することを特徴とする付記８に記載の装置。
付記１０．前記把持部は、前記頂部から延びる内向きの延伸部の遠位端にあることを特徴とする付記９に記載の装置。
付記１１．前記装置は、
前記内側表面から延びる内向きの延伸部及び前記内向きの延伸部の遠位端にある肩部（２１）を含むクリップ受け入れ部材と、
前記肩部と横方向及び垂直方向に重複する前記結合用クリップの各部分と
をさらに備えていることを特徴とする付記８に記載の装置。
付記１２．前記クリップ受け入れ部材は、前記基部から延び、内向きの延伸部の遠位端にある肩部を有し、
前記把持部は、前記把持部の前記各々の肩部が前記クリップ受け入れ部材の前記肩部を越えて延び、前記各々の肩部が重複して互いに接触する又は互いに近位にあることによって、前記クリップ受け入れ部材の中にスナップされ、それにより前記頂部が前記基部に固定されることを特徴とする付記９に記載の装置。
付記１３．少なくとも１つの結合用クリップは、２つの突起で構成されていることを特徴とする付記１１に記載の装置。
付記１４．少なくとも１つの把持部は、前記肩部の端部から延びる傾斜した面を有し、前記傾斜した面の少なくとも一部は、前記肩部と鋭角を形成することを特徴とする付記１２に記載の装置。
付記１５．前記装置は、電子装置であり、該電子装置の内部に少なくとも１つの電子構成要素が含まれていることを特徴とする付記８に記載の装置。
付記１６．前記電子装置は、セットトップボックスであることを特徴とする付記１５に記載の装置。
付記１７．前記把持部は、前記頂部から少なくとも２つの異なる距離にあることを特徴とする付記１０に記載の装置。
付記１８．前記遠位端は、前記頂部から少なくとも２つの異なる長さに延びていることを特徴とする付記１０に記載の装置。
付記１９．垂直力を加えることによって基部及び頂部を一緒に押すステップと、
前記頂部の結合用クリップを前記基部のクリップ受け入れ部材に同時に接触させるステップと、
前記結合用クリップの把持部を横方向に再位置決めするステップと、
前記把持部を該把持部の横方向の初期位置又はいくつかの中間位置にスナップし、その結果、前記結合用クリップの各部分と前記クリップ受け入れ部材の一部が横方向及び垂直方向に重複し、それによって前記頂部と前記基部が可逆的に組み立てられるステップと
を含むことを特徴とする方法。
付記２０．解放治具を前記基部に対して整列させるステップと、
前記解放治具に直線力を加えて、前記解放治具のプレートから延びる複数の分離用部材を前記基部の開口部に入れるステップと、
前記分離用部材を前記把持部に同時に接触させるステップと、
前記結合用クリップの前記把持部を横方向に再位置決めして、前記把持部を外すステップと、
前記頂部を持ち上げるステップと
をさら含むことを特徴とする付記１９に記載の方法。
【図１】
0005833440.tif 000002
【図２Ａ】
0005833440.tif 000003
【図２Ｂ】
0005833440.tif 000004
【図３】
0005833440.tif 000005
【図４】
0005833440.tif 000006
【図５】
0005833440.tif 000007
【図６Ａ】
0005833440.tif 000008
【図６Ｂ】
0005833440.tif 000009
【図６Ｃ】
0005833440.tif 000010
【図７Ａ】
0005833440.tif 000011
【図７Ｂ】
0005833440.tif 000012
【図７Ｃ】
0005833440.tif 000013